(57)【要約】【課題】引戸を勢いよく開けたり閉めたりしたような場合でも引戸が正常の位置から傾こうとするのを防止して走行性を維持する。【解決手段】本案内装置１は、鴨居レールに緩挿されるピボット２と、ピボット２に連動可能に配設された直動式のダンパー装置３と、補助スプリング４とから構成され、ダンパー装置３は、ピボット２から直接力を受けて連動するピストン６と、このピストン６が摺動するシリンダ７と、シリンダ７内に介装されるスプリング８とで構成されている。ピボット２に対し図１中の矢印方向Ｂに力が加わると、ピボット２は同方向Ｂに移動しようとする。すると、ピボット２にはダンパー装置３が作用する。そのため、ダンパー装置３の特性により、ダンパー装置３からの大きな抗力がピボット２に作用する結果、本案内装置１は、引戸が傾きかけたときに瞬間的に上方向に突っ張れるだけの力を発生する。【選択図】図１
2008075288.tif 000002
【特許請求の範囲】
【請求項１】
鴨居レール又は敷居レールに係合され、鴨居及び敷居に沿って引戸を開閉させるときに前記引戸をガイドするための案内装置であって、
前記鴨居レール又は敷居レールに緩挿される摺動体又は転動体と、これら摺動体又は転動体に連動可能に配設されたダンパー装置とが取り付けられてなり、
前記ダンパー装置は、前記摺動体から直接力を受けて連動し又は前記転動体から間接的に力を受けて連動するピストンと、このピストンが摺動するシリンダと、このシリンダ内に介装され、前記ピストンに作用して前記摺動体又は転動体を前記鴨居レール又は敷居レールに係合させる方向に付勢するスプリングとを備え、
前記シリンダは、流体が液体の場合に、当該シリンダ内に前記液体が封入されてなり、前記流体が気体の場合に、前記ピストンの摺動に伴って当該シリンダ内外に流入又は流出させるための流体のオリフィスが適宜位置に複数個設けられてなることを特徴とする引戸の案内装置。
【請求項２】
前記摺動体又は転動体を前記鴨居レール又は敷居レールに係合させる方向に付勢する補助スプリングが設けられてなることを特徴とする請求項１に記載の引戸の案内装置。
【発明の詳細な説明】
【技術分野】
【０００１】
本発明は、鴨居及び敷居に沿って移動する引戸をガイドするために、鴨居レール又は敷居レールに係合する態様で配設される案内装置に関するものである。
【背景技術】
【０００２】
鴨居及び敷居に沿って移動する引戸をガイドするために、鴨居レール又は敷居レールに係合する態様で配設される案内装置は、従来から存在する（特許文献１）。
図４に示す引戸の案内装置１００は、引戸Ｐの上端の両端寄りに適宜な間隔を隔てて取り付けられており、当該案内装置１００のピボット（摺動体）１０１は、引戸Ｐの上方に配設される鴨居レール（図示せず）に係合し、引戸Ｐの開閉移動に伴って当該鴨居レールに沿う態様で摺動するようになっている。尚、この引戸Ｐにおいては、当該引戸Ｐの下端の両端寄りに適宜な間隔を隔てて走行ローラー１０２が配設されており、この走行ローラー１０２は、敷居レール（図示せず）上を転動するようになっている。
より詳細には、引戸の案内装置１００は、図５に示すように、上記ピボット１０１と、このピボット１０１の、同図では右端部が挿入される細長の中空円筒状体１０３と、この中空円筒状体１０３内に配設されるスプリング１０４とで構成されている。そして、かかるスプリング１０４は、上記ピボット１０１を同図では左方に、即ち、当該中空円筒状体１０３から突出する方向に付勢している。これにより、鴨居レールに係合するように付勢されたピボット１０１は、案内装置１００の使用状態のときには、当該ピボット１０１の、同図では左端寄りに設けられたフランジ部１０１ａの上面が鴨居レールの摺動溝（図示せず）に軽く接触する状態となっている。
【０００３】
しかしながら、例えば図４中の矢印で示す方向に引戸Ｐを勢いよく開けたり閉めたりしたような場合に、或いは、引戸Ｐを普通に開けたり閉めたりしたような場合でも縦横比が３：１（通常は縦横比が２〜２．５：１である。）であるような引戸Ｐの場合に、同図の二点鎖線で示すような状態に引戸Ｐが傾いてしまうことがあり、この場合、上述した案内装置１００では、このような状態を回避することができず、引戸Ｐが自重により正常な状態に戻るのを待つか、傾いた引戸Ｐを正常な状態に戻して開閉せざるを得なかった。いずれにしても、引戸Ｐの開閉動作が中断され円滑な開閉は行えなかった。このような状態を回避する方策として、この案内装置１００の例で言えば、スプリング１０４のスプリング力を強くして引戸Ｐが傾き難くする、換言すれば、引戸Ｐが傾きかけたときに上方向に突っ張れるだけのスプリング力を有するスプリングを用いて引戸Ｐが傾き難くすることもできる。しかしながら、このようにスプリング力を強くしたスプリングを用いる場合には、ピボット１０１を頑丈にすることが必要になるためコンパクト化することができず、さらには安価に製造することが難しくなる。また、引戸Ｐの施工に際して、強力なスプリングに抗してピボット１０１を押し下げなければならなくなるため、施工性が好ましくなくなる。また、ピボット１０１のフランジ部１０１ａの上記接触が強くなって引戸Ｐの開閉が重くなるため、開閉操作が円滑にできないなどの不具合が生ずる。
【特許文献１】実公平６−１００７５号公報（第２頁、第９図）
【発明の開示】
【発明が解決しようとする課題】
【０００４】
解決しようとする問題点は、引戸Ｐを勢いよく開けたり閉めたりしたような場合に、引戸Ｐが傾いてしまうことがある点であり、発明の課題は、引戸を勢いよく開けたり閉めたりしたような場合でも引戸が正常の位置から傾こうとするのを防止し、それによって走行性が維持されるように、且つ、通常の引戸の開閉に際しての走行性も失われることのないようにする点である。
【課題を解決するための手段】
【０００５】
本発明の請求項１に係る引戸の案内装置は、鴨居レール又は敷居レールに係合され、鴨居及び敷居に沿って引戸を開閉させるときに前記引戸をガイドするための案内装置であって、前記鴨居レール又は敷居レールに緩挿される摺動体又は転動体と、これら摺動体又は転動体に連動可能に配設されたダンパー装置とが取り付けられてなり、前記ダンパー装置は、前記摺動体から直接力を受けて連動し又は前記転動体から間接的に力を受けて連動するピストンと、このピストンが摺動するシリンダと、このシリンダ内に介装され、前記ピストンに作用して前記摺動体又は転動体を前記鴨居レール又は敷居レールに係合させる方向に付勢するスプリングとを備え、前記シリンダは、流体が、例えばシリコン油などの液体の場合に、当該シリンダ内に前記液体が封入されてなり、また、前記流体が、例えばエアなどの気体の場合に、前記ピストンの摺動に伴って当該シリンダ内外に流入又は流出させるための流体のオリフィスが適宜位置に複数個設けられてなるものである。
【０００６】
本発明の請求項１に係る引戸の案内装置によれば、引戸を勢いよく開けたり閉めたりしたような場合でも引戸が正常の位置から傾こうとするのを防止し、それによって走行性が維持されるように、且つ、通常の引戸の開閉に際しての走行性も失われることのないようにすることができる。また、開閉に際しての走行性が保たれるので、鴨居レール又は敷居レールと摺動体又は転動体との係合による磨耗を防止でき、長期間の使用に耐え得るものとなる。
ところで、このダンパー装置を敷居レールに緩挿される摺動体又は転動体に連動させる場合、上記スプリングの設定に際しては引戸の自重をも考慮する必要があることは言うまでもない。
【０００７】
本発明の請求項２に係る引戸の案内装置において、前記摺動体又は転動体を前記鴨居レール又は敷居レールに係合させる方向に付勢する補助スプリングが設けられてなるもので、かかる補助スプリングは、引戸の傾きを防止すべくダンパー装置が作用した後、直ちに摺動体又は転動体を元の状態、即ち、鴨居レール又は敷居レールに係合させる状態に復帰させるように作用するので、走行性の維持を早めることができる。また、この補助スプリングは、引戸の開閉に際して生じようとする傾きを抑える機能を持っている。
【発明の効果】
【０００８】
本発明の引戸の案内装置は、摺動体又は転動体に作用するダンパー装置により、引戸を勢いよく開けたり閉めたりしたような場合でも引戸が正常の位置から傾こうとするのを防止し、それによって走行性が維持されるように、しかも、通常の引戸の開閉に際しての走行性も失われることがない点で優れている。
【発明を実施するための最良の形態】
【０００９】
本発明の第１の実施の形態に係る引戸の案内装置を図１を参照して説明する。
本案内装置１は、図１に示すような構成に係る装置であり、背景技術の欄で述べた引戸Ｐの案内装置１００に代えて用いられる。
本案内装置１は、鴨居レールに緩挿されるピボット（摺動体）２と、ピボット２に連動可能に配設された直動式のダンパー装置３と、本実施の形態では補助スプリング４とから構成され、ピボット２の他方端部側並びにダンパー装置３及び補助スプリング４が中空円筒状体５内に内装され、ピボット２の一方端部側が中空円筒状体５内から突出される構造をなしている。
このうちのピボット２は、周知の形状をなす略円筒状部材で、上述した当該ピボット２の一方端部（鴨居レールに係合する方の端部）にフランジ２ａが取り付けられ、また、上述した当該ピボット２の他方端部（ダンパー装置３が作用する方の端部）に大径の隆起部２ｂが突設されており、フランジ２ａは、案内装置１の使用状態のとき、その上面が鴨居レールの摺動溝（図示せず）に軽く接触する状態となり、また、隆起部２ｂは、ピボット２が図１（Ｂ）中の矢印方向Ａ，Ｂに移動するのに伴って、中空円筒状体５の内壁を摺動する。
【００１０】
ダンパー装置３は、ピボット２から直接力を受けて連動するピストン６と、このピストン６が摺動するシリンダ７と、シリンダ７内に介装されるスプリング８とで構成されている。
最初にシリンダ７から説明すると、かかるシリンダ７は、一方が開口し他方が有底の中空円筒部材をなし、上記中空円筒状体５の、ピボット２の他方端部が配設される側とは反対側に、当該シリンダ７の開口部がピボット２の他方端部と対向する態様で内装される。そして、かかるシリンダ７にはシリコン油（流体）が封入されており、ピストン６の摺動に伴って当該シリンダ７内で流動するようになっている。尚、当然のことながら、シリコン油（流体）が封入されたシリンダ７の開口部は適宜部材で塞がれている。
また、ピストン６は、シリンダ７の内壁を摺動するピストン本体６ａと、このピストン本体６ａの、上記ピボット２の他方端部と対向する面側に突設されたピストン軸６ｂとで構成されている。そして、このピストン本体６ａの、ピストン軸６ｂが突設された側とは反対の側の面とシリンダ７の有底面と間にスプリング８が介装されており、このスプリング８は、ピストン６に作用してピボット２を鴨居レールに係合させる方向に付勢している。したがって、ピストン６のピストン軸６ｂは、ピボット２の他方端部に当接状態になっている。
【００１１】
また、本案内装置１には、補助スプリング４が、その一方のスプリング座をシリンダ７の開口端部とし、その他方のスプリング座をピボット２の隆起部２ｂとして、ピボット２を中空円筒状体５から突出させる方向、換言すれば、ピボット２を鴨居レールに係合させる方向に付勢しており、この補助スプリング４により、引戸Ｐの傾きを防止すべくダンパー装置３が作用した後、直ちにピボット２を元の状態、即ち、鴨居レールに係合させる状態に復帰させるようにして、引戸Ｐの走行性を維持させる。
【００１２】
本案内装置１の動作について説明する。
引戸Ｐを勢いよく開けたり閉めたりして、上述した図４中の二点鎖線で示すような状態に引戸Ｐが傾きかけたとき、ピボット２に対し図１（Ｂ）中の矢印方向Ｂに力が加わると、ピボット２（及びこれに当接しているピストン６）は矢印方向Ｂに移動しようとする。すると、ピボット２には、ピストン６の摺動抵抗及び当該ピストン６を介してスプリング８の抗力が作用する、換言すれば、ダンパー装置３が作用する。そのため、ダンパー装置３の、その作用開始時に大きい抗力を発生するという特性により、ダンパー装置３からの大きな抗力がピボット２に作用する結果、本案内装置１は、引戸Ｐが傾きかけたときに瞬間的に上方向に突っ張れるだけの力を発生する。このため、引戸Ｐの傾きが防止され、そのため引戸Ｐの走行性が維持される。尚、このとき、ピボット２は、補助スプリング４からも抗力を受けている。
そして、ダンパー装置３は、その作用開始時にピボット２に対し大きい抗力を発生するもののピボット２から図１（Ｂ）中の矢印方向Ｂに力を受けて当該ダンパー装置３のピストン６が同方向に摺動するが、その後、ピボット２に外力が作用しなくなると当該ダンパー装置３のピストン６及びこれに当接されたピボット２が同図中の矢印方向Ａに移動し、ピボット２が元の状態、即ち、鴨居レールに係合する状態に復帰される。本実施の形態では、引戸Ｐの走行性の維持を早めるべくピボット２を元の状態に復帰させる時間を短縮するために補助スプリング４を作用させるようにしている。尚、かかる補助スプリング４は、本案内装置１に必ずなくてはならないものではないが、引戸の開閉に際して生じようとする傾きを抑える機能を併せ持っているので有用である。
ところで、通常の引戸Ｐの開閉に際しては、ダンパー装置３からの大きな抗力がピボット２に作用することはないので、その走行性が失われることはない。
【００１３】
次に、本発明の第２の実施の形態に係る引戸の案内装置を図２を参照して説明する。但し、図２中において、図１の構成要素と同一のものには同一番号を付し、その説明は割愛する。尚、図２では、ダンパー装置３は簡略化されて描かれている。
本案内装置１０は、鴨居レール（図示せず）に緩挿されるローラー（転動体）１１と、このローラー１１に連動可能に配設された直動式のダンパー装置３と、補助スプリング４とから構成されるが、ダンパー装置３は、後述するように、そのピストン６がローラー１１から間接的に力を受けて連動される構造となっている。
【００１４】
具体的には、矩形状ケーシング１２内の、同図では四隅のうちの右上に軸止された支軸１３に、略矩形状で、且つ、同図では下辺の外形を所定形状に成形したブラケット１４が同図中の矢印方向Ｃ，Ｄに揺動自在に軸着され、このブラケット１４の、同図では四隅のうちの左上方寄りのところに軸止された回転軸１５にローラー１１が回動自在に軸着されている。そして、ケーシング１２内の、同図では四隅のうちの左下方寄りのところにダンパー装置３が立設され、当該ダンパー装置３（のピストン軸６ｂ）が、通常はブラケット１４の下辺の、同図では左端の平坦部１４ａに略垂直に当接されており、当該ダンパー装置３のピストン６は、ローラー１１の矢印方向Ａ´，Ｂ´の移動がブラケット１４を介して間接的に伝達されて連動する態様となる一方、ローラー１１はブラケット１４を介してダンパー装置３（のスプリング８）により鴨居レールに係合する方向に付勢される。この状態では、ローラー１１の一部が、ケーシング１２から突出された状態をなしている。更に、補助スプリング４は、その一方のスプリング座をブラケット１４の下辺の、同図では右端の切欠き部１４ｂとし、その他方のスプリング座をケーシング１２内の、同図では四隅のうちの右下の側壁として、ブラケット１４を同図中の矢印方向Ｃに、換言すれば、ローラー１１を鴨居レールに係合させる方向に付勢している。
尚、ケーシング１２の下方に設けられている段付きの貫通孔１６は、ケーシング１２を引戸Ｐに取り付けるためのものである。
【００１５】
本案内装置１０の動作について説明する。
本案内装置１０の動作も、上述した案内装置１の動作に準じており、引戸Ｐを勢いよく開けたり閉めたりして、図４中の二点鎖線で示すような状態に引戸Ｐが傾きかけたとき、ローラー１１に対し図２中の矢印方向Ｂ´に力が加わると、ローラー１１は矢印方向Ｂ´に移動しようとする。すると、ローラー１１には、ブラケット１４を介してダンパー装置３が作用する。そのため、上述したダンパー装置３の特性により、ダンパー装置３からの大きな抗力がローラー１１に作用する結果、本案内装置１０は引戸Ｐが傾きかけたときに瞬間的に上方向に突っ張れるだけの力を発生する。このため、引戸Ｐの傾きが防止され、引戸Ｐの走行性が維持される。尚、このとき、ローラー１１は、ブラケット１４を介して補助スプリング４からも抗力を受けている。
ところで、補助スプリング４は、上述した案内装置１のものと同様の作用をし、ローラー１１を元の状態、即ち、鴨居レールに係合する状態に復帰させる時間を短縮して引戸Ｐの走行性の維持を早めるとともに、引戸の開閉に際して生じようとする傾きを抑える機能を併せ持っている。
通常の引戸Ｐの開閉に際しては、第１の実施の形態に係るピボット２に対する場合と同様に、ダンパー装置３からの大きな抗力がローラー１１に作用することはないので、その走行性が失われることはない。
【００１６】
次に、本発明の第３の実施の形態に係る引戸の案内装置を図３を参照して説明する。但し、図３中において、図２の構成要素と同一のものには同一番号を付し、その説明は割愛する。
上記案内装置１０が直動式のダンパー装置３を備えたものであったのに対し、本案内装置２０は、ロータリー式のダンパー装置２１を備えてなるもので、鴨居レールに緩挿される上記ローラー１１と、このローラー１１に連動可能に配設されたロータリー式のダンパー装置２１と、スプリング２２とから構成され、ダンパー装置２１は、後述するように、ローラー１１から間接的に力を受けて連動される構造となっている。
【００１７】
具体的には、ケーシング１２内の、同図では四隅のうちの右上に軸止された支軸１３に、略矩形状部材と略扇形状部材とをこの矩形状の、同図では左下辺寄りのところで合体させたようなブラケット２３が同図中の矢印方向Ｃ，Ｄに揺動自在に軸着され、このブラケット２３の、同図では四隅のうちの左上方寄りのところに軸止された回転軸１４にローラー１１が回動自在に軸着されている。そして、ブラケット２３の略扇形状部の外周に、そのピッチ円を支軸１３の中心とする歯部２３ａが刻設され、かかる歯部２３ａが、ダンパー装置２１の構成部材である後述のピニオン２４に噛合している。これにより、ダンパー装置２１は、ローラー１１の矢印方向Ａ´，Ｂ´の移動がブラケット２３を介して伝達されて連動する態様となる。ところで、ダンパー装置２１において、上記ピニオン２４は、ケーシング１２内の、同図では四隅のうちの左下方寄りのところに配設されたギヤボックス内に軸着され、このギヤボックス内には、ピニオン２４の回転軸２４ａ周りに粘性抵抗が作用するように適宜な粘性流体が充填されている。更に、スプリング２２は、その一方のスプリング座をブラケット２３の下辺の、同図では右端の切欠き部２３ｂに連なる上記扇形状部の側壁とし、その他方のスプリング座をケーシング１２内の、同図では四隅のうちの右下の側壁として、ブラケット２３を同図中の矢印方向Ｃに、換言すれば、ローラー１１を鴨居レールに係合させる方向に付勢している。この状態では、ローラー１１の一部が、ケーシング１２から突出された状態をなしている。したがって、スプリング２２は、上記案内装置１，１０のスプリング８に相当する部材で、本案内装置２０においてはなくてはならないものである。
【００１８】
本案内装置２０の動作について説明する。
引戸Ｐを勢いよく開けたり閉めたりして、図４中の二点鎖線で示すような状態に引戸Ｐが傾きかけたとき、ローラー１１に対し図３中の矢印方向Ｂ´に力が加わると、ローラー１１は矢印方向Ｂ´に移動しようとする。すると、ローラー１１には、ピニオン２４の回転軸２４ａ周りの粘性抵抗及びスプリング２２の抗力が作用する、換言すれば、ダンパー装置２１が作用する。そのため、ダンパー装置２１の、その作用開始時に大きい抗力を発生するという特性により、ダンパー装置２１からの大きな抗力がローラー１１に作用する結果、本案内装置２０は、引戸Ｐが傾きかけたときに瞬間的に上方向に突っ張れるだけの力を発生する。このため、引戸Ｐの傾きが防止され、引戸Ｐの走行性が維持される。
通常の引戸Ｐの開閉に際しては、第２の実施の形態の場合と同様に、ダンパー装置２１からの大きな抗力がローラー１１に作用することはないので、その走行性が失われることはない。
【産業上の利用可能性】
【００１９】
本発明の引戸の案内装置は、摺動体又は転動体にダンパー装置が作用する構造となっており、このため、引戸を勢いよく開けたり閉めたりしたような場合でも引戸が正常の位置から傾こうとするのを防止し、それによって走行性が維持され、しかも、通常の引戸の開閉に際しての走行性も失われることがない点で優れており、また、従来の案内装置との互換性にも優れており、広く一般的に利用されるものと言える。
【図面の簡単な説明】
【００２０】
【図１】本発明の第１の実施の形態に係る引戸の案内装置の構成図である。
【図２】本発明の第２の実施の形態に係る引戸の案内装置の断面構成図である。
【図３】本発明の第３の実施の形態に係る引戸の案内装置の断面構成図である。
【図４】従来の引戸の案内装置の取付状態を示す説明図である。
【図５】従来の引戸の案内装置の断面構成図である。
【符号の説明】
【００２１】
１，１０，２０                  引戸の案内装置
２                              ピボット（摺動体）
３，２１                        ダンパー装置
４                              補助スプリング
６                              ピストン
７                              シリンダ
８，２２                        スプリング
１１                            ローラー（転動体）
Ｐ                              引戸
【図１】
2008075288.tif 000003
【図２】
2008075288.tif 000004
【図３】
2008075288.tif 000005
【図４】
2008075288.tif 000006
【図５】
2008075288.tif 000007